(57)【要約】【課題】遮音性に優れて、多様なレイアウト変更に対応できる可動間仕切りシャッタ装置を提供する。【解決手段】スライドレール１１，１１には、可動間仕切りシャッタ装置１２の略箱状の収納部１３の左，右両側部が吊り下げられて、延設方向に沿ってスライド自在となるように支持されている。  シャッタ本体１５は、シリコン樹脂素材を基材とするゴムシートからなり、面密度が、１５ｋｇ／平方メートル以上となるように比較的高比重で構成されている。  そして、シャッタ本体１５が、回転駆動機構の回転駆動によって、一対のローラー部材１４，１４によって、巻き上げられて、収納部１３内に収納される。【選択図】図１
2007138408.tif 000002
【特許請求の範囲】
【請求項１】
建物の壁部若しくは天井部に設けられた収納部内から出没自在に設けられるシャッタ本体を有し、該シャッタ本体の面密度を、１５ｋｇ／平方メートル以上として、前記収納部から引き出された間仕切り状態で、一定の遮音性を持たせたことを特徴とする可動間仕切りシャッタ装置。
【請求項２】
前記収納部は、壁部若しくは天井部の内部に一部又は全部を埋設していることを特徴とする請求項１記載の可動間仕切りシャッタ装置。
【請求項３】
前記収納部は、前記壁部若しくは天井部に沿って延設されたレール部にスライド自在に支持されていることを特徴とする請求項１又は２記載の可動間仕切りシャッタ装置。
【請求項４】
前記シャッタ本体を、高比重の樹脂製シート材で構成することを特徴とする請求項１乃至３のうち何れか一項記載の可動間仕切りシャッタ装置。
【請求項５】
前記収納部内には、前記シャッタ本体を巻き付けて収納する少なくとも一対のローラー部材が設けられていることを特徴とする請求項４記載の可動間仕切りシャッタ装置。
【請求項６】
前記建物は、ユニット建物で、該ユニット建物を構成する建物ユニットの壁部若しくは天井部に、予め収納部を設けていることを特徴とする請求項１乃至５のうち何れか一項記載の可動間仕切りシャッタ装置。
【発明の詳細な説明】
【技術分野】
【０００１】
本発明は、主に住宅等、建物の室内空間を間仕切りすることにより、仕切られた各空間の間を遮音する可動間仕切りシャッタ装置に関するものである。
【背景技術】
【０００２】
従来、図１２に示すようなシステム天井用間仕切りが知られている。
【０００３】
まず、構成から説明すると、この従来のシステム天井用間仕切りでは、天井部１に装着される収納部２と、この収納部２内に出没可能となるように、巻き込み機構３に巻き込まれて収納されるスクリーン４とを有して主に構成されている。
【０００４】
次に、この従来の可動間仕切りシャッタ装置の作用効果について説明する。
【０００５】
このように構成された従来のシステム天井用間仕切りでは、前記収納部２内に設けられた巻き込み機構によって前記スクリーン４が巻き込まれて収納されるため、別途スペースを天井部１等に設ける必要が無い。
【０００６】
また、収納状態では、スクリーン４の下辺４ａに位置する引き出し部４ｂのみが見えるので、一定の外観品質を得られる。
【特許文献１】実開平５−４５１９７号公報（００１１段落乃至００３４段落、図１）
【発明の開示】
【発明が解決しようとする課題】
【０００７】
このように構成された従来のシステム天井用間仕切りでは、前記収納部２内の巻き込み機構３が、遮音性を向上させた所望の厚さを有するスクリーン４を、巻き込んで収納するように構成すると、上下方向に一定の収納寸法を必要としてしまう。
【０００８】
また、前記収納部２は、天井部１内に固着されているので、一定の位置で、室内空間を間仕切ることは出来るが、間仕切り位置を可変させることは出来ない。
【０００９】
このため、長期間に渡る居住者や建物利用者の人数及び年齢の様々な変化等に対応することが困難であった。
【００１０】
そこで、この発明は、遮音性に優れて、多様なレイアウト変更に対応できる可動間仕切りシャッタ装置を提供することを課題としている。
【課題を解決するための手段】
【００１１】
上記目的を達成するために、請求項１に記載された発明は、建物の壁部若しくは天井部に設けられた収納部内から出没自在に設けられるシャッタ本体を有し、該シャッタ本体の面密度を、１５ｋｇ／平方メートル以上として、前記収納部から引き出された間仕切り状態で、一定の遮音性を持たせた可動間仕切りシャッタ装置を特徴としている。
【００１２】
また、請求項２に記載されたものは、前記収納部は、壁部若しくは天井部の内部に一部又は全部を埋設している請求項１記載の可動間仕切りシャッタ装置を特徴としている。
【００１３】
そして、請求項３に記載されたものは、前記収納部は、前記壁部若しくは天井部に沿って延設されたレール部にスライド自在に支持されている請求項１又は２記載の可動間仕切りシャッタ装置を特徴としている。
【００１４】
また、請求項４に記載されたものは、前記シャッタ本体を、高比重の樹脂製シート材で構成する請求項１乃至３のうち何れか一項記載の可動間仕切りシャッタ装置を特徴としている。
【００１５】
更に、請求項５に記載されたものは、前記収納部内には、前記シャッタ本体を巻き付けて収納する少なくとも一対のローラー部材が設けられている請求項４記載の可動間仕切りシャッタ装置を特徴としている。
【００１６】
そして、請求項６に記載されたものは、前記建物は、ユニット建物で、該ユニット建物を構成する建物ユニットの壁部若しくは天井部に、予め収納部を設けている請求項１乃至５のうち何れか一項記載の可動間仕切りシャッタ装置を特徴としている。
【発明の効果】
【００１７】
このように構成された請求項１記載のものでは、シャッタ本体の面密度が、１５ｋｇ／平方メートル以上であるので、前記収納部から引き出された間仕切り状態で、一定の遮音性が発揮される。
【００１８】
このため、間仕切りされた空間間で、遮音性能が必要とされる場合、例えば、ダイニングに連なるリビングをオーディオルームとして使用したい場合や、居室内で、パーティを行う場合等、多彩な用途に対応できる。
【００１９】
また、前記シャッタ本体が、前記収納部内に収納される。該収納部は、建物の壁部若しくは天井部に設けられているので、別途収納スペースを必要とせず、外観品質を良好なものとすることが出来る。
【００２０】
更に、請求項２に記載されたものは、前記収納部が、壁部若しくは天井部の内部に一部又は全部、埋設されているので、シャッタ本体が該収納部に収納された状態では、該シャッタ本体が露出することなく、外観品質が良好である。
【００２１】
また、請求項３に記載されたものは、前記壁部若しくは天井部に沿って延設されたレール部に沿わせて、前記収納部をスライド移動させることにより、建物内の空間の所望の位置で、前記シャッタ本体による間仕切りを行うことが出来る。
【００２２】
このため、長期間に渡る居住者や建物利用者の人数及び年齢の様々な変化等に対応して、多彩なレイアウト変更に対応できる。
【００２３】
更に、請求項４に記載されたものは、前記シャッタ本体が、高比重の樹脂製シート材で構成されているので、該シャッタ本体により、建物内の空間を間仕切りした場合は、該高比重の樹脂製シート材が、振動を吸収して、良好な遮音性を発揮できる。
【００２４】
また、該樹脂製シートに、柔軟性が与えられていると、前記収納部内に収納される際に、コンパクトに巻き取り若しくは折り畳まれて、スペース効率が良好である。
【００２５】
そして、請求項５に記載されたものは、前記収納部内に設けられた一対のローラー部材が、前記シャッタ本体を巻き付けて収納する。
【００２６】
該一対のローラー部材は、直線部分を有する巻き取り形状で、シャッタ本体を巻き取ることが出来るので、所定の厚みを有する等、遮音性の良好なシャッタ本体を用いることができる。
【００２７】
また、厚み方向寸法は、単体のローラー部材を用いる場合以下に抑えることが可能であるので、スペース効率が良好である。
【００２８】
更に、請求項６に記載されたものは、予め前記収納部が、前記建物を構成する建物ユニットの壁部若しくは天井部に設けられているので、搬送時に、シャッタ装置が損傷する虞を減少させることができる。
【００２９】
また、施工現場における施工工数を減少させることが出来、設置効率が良好である。
【発明を実施するための最良の形態】
【００３０】
次に、図面に基づいて、この発明を実施するための最良の実施の形態の可動間仕切りシャッタ装置について説明する。
【００３１】
図１乃至図３は、この発明の最良の実施の形態の可動間仕切りシャッタ装置を示すものである。
【００３２】
まず構成から説明すると、この実施の形態の可動間仕切りシャッタ装置は、建物としてのユニット建物５が、図３に示すように、複数の建物ユニット６…を組み合わせて構成されている。
【００３３】
このうち、下階に連設された建物ユニット６…内には、主に、リビング７ａ，ダイニング７ｂ及びキッチン７ｃからなるＬＤＫ空間７と、玄関階段室空間８と、パーティールーム等として用いる居室空間９とが、主に設けられている。
【００３４】
このうち、前記ＬＤＫ空間７及び居室空間９の天井部１０には、対向する両側縁１０ａ，１０ａに沿って、図１に示すように一対のレール部としてのスライドレール１１，１１が、並行に設けられている。
【００３５】
ここでは、ＬＤＫ空間７に設けられる可動間仕切りシャッタ装置１２の構成を中心に説明し、居室空間９の可動間仕切りシャッタ装置１２については、略同様に構成されるため、説明を省略する。
【００３６】
これらのスライドレール１１，１１には、可動間仕切りシャッタ装置１２の略箱状の収納部１３の左，右両側部が吊り下げられて、延設方向に沿ってスライド自在となるように支持されている。
【００３７】
この実施の形態では、前記両側縁１０ａ，１０ａに、前記収納部１３の左，右側縁部１３ｂ，１３ｂを一部没入させて覆う凹部１６ａ，１６ａが、左，右壁部１６，１６の各上縁部に凹設形成されている。
【００３８】
この収納部１３内には、図２に示すように、水平方向に一定寸法ｄ１、離間された回転軸１４ａ，１４ａを有する一対のローラー部材１４，１４が設けられていて、下側スリット１３ａから、室内空間（下方）に向けて、出没自在となるように、シャッタ本体１５を巻き取り及び送り出し可能に設けられている。
【００３９】
この実施の形態の前記ローラ−部材１４，１４は、図示省略のモータ制御装置，電動モータ及び減速ギヤ機構等からなる回転駆動機構によって、前記回転軸１４ａ，１４ａを回転中心として回転駆動されるように構成されている。
【００４０】
また、この実施の形態のシャッタ本体１５は、シリコン樹脂素材を基材とするゴムシートからなり、面密度が、１５ｋｇ／平方メートル以上となるように比較的高比重で構成されている。
【００４１】
そして、このシャッタ本体１５には、前記収納部１３から引き出されて、両側壁部に当接する側縁部１５ｂ，１５ｂ及び床部１７に当接する下縁部１５ａには、各々間仕切り状態で、一定の遮音性を持たせるように、気密性の良好なシール部材１５ｃ…が、略全長に渡り設けられている。
【００４２】
次に、この実施の形態の可動間仕切りシャッタ装置１２の作用について説明する。
【００４３】
この実施の形態の可動間仕切りシャッタ装置１２では、前記シャッタ本体１５の面密度が、比較的高比重の１５ｋｇ／平方メートル以上であるので、前記収納部１３の下側スリット１３ａから引き出された間仕切り状態で、一定の遮音性（例えば、Ｄ−２５〜３５）が発揮される。
【００４４】
このため、間仕切りされた空間間で、遮音性能が必要とされる場合、例えば、図３に示すように、ダイニング７ｂに連なるリビング７ａをオーディオルームとして使用したい場合や、居室空間９内で、２つに空間９ａ，９ｂを、この可動間仕切りシャッタ装置１２で間仕切り、小規模のパーティを行う場合等、多彩な用途に対応できる。
【００４５】
また、前記シャッタ本体１５が、前記回転駆動機構の回転駆動によって、前記一対のローラー部材１４，１４によって、巻き上げられて、前記収納部１３内に収納される。
【００４６】
この収納部１３は、ユニット建物５の壁部１６若しくは天井部１０の側縁１０ａ，１０ａに設けられているので、別途収納スペースを必要とせず、外観品質を良好なものとすることが出来る。
【００４７】
この実施の形態では、両側縁１０ａ，１０ａに凹設形成された凹部１６ａ，１６ａによって、前記収納部１３の左，右側縁部１３ｂ，１３ｂが一部没入することにより覆われている。
【００４８】
このため、前記収納部１３が、前記スライドレール１１の何れの位置にあっても、同様に良好な外観品質を得られる。
【００４９】
また、前記シャッタ本体１５の側縁部１５ｂ，１５ｂに設けられたシール部材１５ｃ，１５ｃと、左，右壁部１６，１６との間隙量を減少させることが出来る。
【００５０】
このため、各シール部材１５ｃ，１５ｃと、左，右壁部１６，１６との間のシール性を更に向上させて、遮音性を良好なものとすることが出来る。
【００５１】
また、この実施の形態では、前記壁部１６，１６若しくは天井部１０の両側縁１０ａ，１０ａに沿って延設されたスライドレール１１，１１に沿わせて、前記収納部１３がスライド移動されることにより、ユニット建物６内のＬＤＫ空間７若しくは居室空間９の所望の位置で、前記シャッタ本体１５を引き出して、間仕切りを行うことが出来る。
【００５２】
このため、長期間に渡る居住者や建物利用者の人数及び年齢の様々な変化等に対応して、多彩なレイアウト変更に対応できる。
【００５３】
更に、前記シャッタ本体１５が、高比重の樹脂製シート材であるゴムシートで構成されているので、このシャッタ本体１５により、ユニット建物６内のＬＤＫ空間７若しくは居室空間９の空間が間仕切りされた場合は、この高比重のシリコン樹脂素材を基材とするゴムシート材が、振動を吸収して、良好な遮音性を発揮できる。
【００５４】
また、ゴムシートには、柔軟性が与えられている為、前記収納部１３内に収納される際に、コンパクトに巻き取られて、スペース効率が良好である。
【００５５】
この実施の形態では、前記収納部１３内に設けられた一対のローラー部材１４，１４が、前記シャッタ本体１５を巻き付けて収納する。
【００５６】
この一対のローラー部材１４，１４は、回転軸１４ａ，１４ａ間寸法ｄ１を有しているので、シャッタ本体１５が巻き取られる際にも、直線部分を有する巻き取り形状で、シャッタ本体１５を巻き取ることが出来るので、巻き取られている形状での撓み変形量が、単体のローラー部材１４の場合に比して小さい。
【００５７】
このため、遮音性能を良好なものとする為、面密度を、１５ｋｇ／平方メートル以上として所定の厚みを有するゴムシート製のシャッタ本体１５であっても、無理な力を加えることなく巻き取れる為、従来、単体のローラー部材１４では、巻き取ることが出来なかったゴムシートを用いることができる。
【００５８】
また、この一対のローラー部材１４，１４は、回転軸１４ａ，１４ａ間寸法ｄ１を一定寸法に設定して設けられているので、この寸法ｄ１の２倍の長さ（ｄ１×２）を加えて、２つのローラー部材１４，１４が一回転する間に巻き取れる前記シャッタ本体１５の長さを、１つのローラ部材１４の外周面一周の長さよりも長く設定できる。
【００５９】
このため、巻き取られる長さに対応して、増大してしまう半径方向の回転軸１４ａからシャッタ本体１５の外側面までの寸法の増大が抑制される。
【００６０】
従って、厚み方向寸法ｈ１（この実施の形態では、図２に示す高さ方向寸法ｈ１）は、単体のローラー部材を用いる場合以下に抑えることが可能であるので、スペース効率が良好である。
【００６１】
更に、この実施の形態１では、予め工場内で、前記収納部１２が、前記ユニット建物６を構成する建物ユニット６，６の何れかの壁部１６若しくは天井部１０に、設けられているので、搬送時に、可動間仕切りシャッタ装置１２が損傷する虞を減少させることができる。
【００６２】
また、施工現場における施工工数を減少させることが出来、設置効率が良好である。
【実施例１】
【００６３】
図４に示すこの実施例１の可動間仕切りシャッタ装置２２は、前記実施の形態のローラー部材１４によって巻き取られるゴムシートからなるシャッタ本体１５に代えて、複数のシャッタスラット部材２５ａ…を屈曲可能に連設して構成される折り畳みシャッタ本体２５を用いたものである。
【００６４】
なお、前記実施の形態と同一乃至均等な部分については同一符号を付して説明する。
【００６５】
この実施例１では、前記シャッタスラット部材２５ａが、長尺板状の金属製板材の表面側を塗装仕上げすることにより構成されていて、各シャッタスラット部材２５ａ，２５ａ間が、屈曲可能でシール性を有する遮音ゴム材によって連結されている。
【００６６】
次に、この実施例１の可動間仕切りシャッタ装置の作用について説明する。
【００６７】
この実施例１の可動間仕切りシャッタ装置２５では、前記実施の形態の作用効果に加えて、更に、各シャッタスラット部材２５ａ，２５ａ間が、屈曲可能でシール性を有する遮音ゴム材によって連結されている。
【００６８】
このため、このシャッタ本体２５が引き出された間仕切り状態では、前記遮音ゴム材が、上下両側に連設される金属製のシャッタスラット部材２５ａ，２５ａの振動を吸収して、シャッタスラット部材２５ａ，２５ａ相互への伝達を抑制する。
【００６９】
従って、更に、遮音性が良好である。
【００７０】
また、前記シャッタ本体２５のシャッタスラット部材２５ａ，２５ａ間が、遮音ゴム材を屈曲することにより、良好なスペース効率で、前記収納部１３内に収納される。
【００７１】
他の構成及び作用効果については、前記実施の形態と同一乃至均等であるので、説明を省略する。
【実施例２】
【００７２】
図５は、この発明の実施の形態の実施例２の可動間仕切りシャッタ装置３２を示すものである。なお、前記実施の形態と同一乃至均等な部分については同一符号を付して説明する。
【００７３】
この実施例２では、前記下階の建物ユニット６の天井部１０内に位置する上部梁フレーム部材３３及び補強桁フレーム部材３４に、前記収納部１３の両側面１３ｃ，１３ｃが各々ボルト部材３５…によって固定されている。
【００７４】
また、天井部１０の石膏ボード３６には、前記下側スリット１３ａに対向して天井スリット３６ａが開口形成されていて、これらの下側スリット１３ａ及び天井スリット３６ａを介して、前記シャッタ本体１５が、前記一対のローラー部材１４，１４から、下方のＬＤＫ空間７方向へ、引き出し及び巻き取りされるように構成されている。
【００７５】
次に、この実施例２の作用効果について説明する。
【００７６】
この実施例２の可動間仕切りシャッタ装置３２では、前記実施の形態の作用効果に加えて、更に、２軸のローラー部材１４，１４によって、高さ方向の収納部１３の寸法ｈ１の増大が抑制されている。
【００７７】
このため、前記上部梁フレーム部材３３及び補強桁フレーム部材３４間に、前記収納部１３が固定されて、下階の建物ユニット６の天井部１０内に、可動間仕切りシャッタ装置３２を納めることが可能である。
【００７８】
従って、石膏ボード３６の下面側に露出する部分が殆ど無く、天井部１０の外観品質が良好である。
【００７９】
更に、工場内で、予め天井部１０内に、前記可動間仕切りシャッタ装置３２を装着して搬送する場合でも、前記下階部分を構成する建物ユニット６の上面６ａから、前記収納部１３が上方に突出することがない。
【００８０】
このため、搬送時及び施工時に、この収納部１３及び周縁の他の部材との干渉が発生する虞が無く、損傷を防止出来る。
【００８１】
他の構成及び作用効果については、前記実施の形態と同一乃至均等であるので、説明を省略する。
【実施例３】
【００８２】
図６は、この発明の実施の形態の実施例３の可動間仕切りシャッタ装置４２を示すものである。なお、前記実施の形態及び実施例１，２と同一乃至均等な部分については同一符号を付して説明する。
【００８３】
この実施例３の可動間仕切りシャッタ装置４２では、前記実施例２のローラー部材１４によって巻き取られるゴムシートからなるシャッタ本体１５に代えて、複数のシャッタスラット部材２５ａ…を屈曲可能に連設して構成される折り畳みシャッタ本体２５が用いられている。
【００８４】
他の構成及び作用効果については、前記実施の形態及び実施例１，２と同一乃至均等であるので、説明を省略する。
【実施例４】
【００８５】
図７及び図８は、この発明の実施の形態の実施例４の可動間仕切りシャッタ装置５２を示すものである。なお、前記実施の形態及び実施例１乃至３と同一乃至均等な部分については同一符号を付して説明する。
【００８６】
この実施例４の可動間仕切りシャッタ装置５２は、ＬＤＫ空間７の天井部１０の側縁１０ａに沿って、前記壁部１６の上縁部内側に、図７に示すようにレール部としてのスライドレール５１が延設されている。
【００８７】
このスライドレール５１には、可動間仕切りシャッタ装置５２の略箱状の収納部５３が、延設方向に沿ってスライド自在となるように支持されている。
【００８８】
この実施例４の収納部５３内には、折り畳みシャッタ本体５５が、折り畳み状態で収納されている。
【００８９】
この実施例４の折り畳みシャッタ本体５５は、連設される長尺板状のシャッタスラット部材５５ａ…を、長尺板状の透明アクリル板材により構成して、各シャッタスラット部材５５ａ，５５ａ間が、屈曲可能でシール性を有する透明遮音ゴム材５５ｂ…によって、各々連結されている。
【００９０】
そして、前記収納部５３の室内側側面に縦長に開口形成された縦スリット５３ａから、ＬＤＫ空間７内に向けて、引き出し及び折り畳み収納可能となるように構成されている。
【００９１】
更に、このシャッタ本体５５には、前記収納部５３から引き出されて、反対側の側壁１６に当接する側縁部５５ｃ，床部１７に摺接する下縁部５５ｄ，天井部１０に摺接される上縁部５５ｅには、各々間仕切り状態で、一定の遮音性を持たせるように、気密性の良好なシール部材５５ｆ…が、各々略全長に渡り設けられている。
【００９２】
このように構成された実施例４の可動間仕切りシャッタ装置５２では、このシャッタ本体５５によって間仕切られた各空間間で、遮音性が確保されつつ、前記透明な透明アクリル板材からなるシャッタスラット部材５５ａ…及び透明遮音ゴム材５５ｂ…を透過して、反対側の空間内を視認できる。
【００９３】
他の構成及び作用効果については、前記実施の形態及び実施例１乃至３と同一乃至均等であるので、説明を省略する。
【実施例５】
【００９４】
図９は、この発明の実施の形態の実施例５の可動間仕切りシャッタ装置６２を示すものである。なお、前記実施例４と同一乃至均等な部分については同一符号を付して説明する。
【００９５】
この実施例５では、折り畳みシャッタ本体６５の連設される長尺板状のシャッタスラット部材６５ａ…の面延設方向を、収納部５３内で、前記壁部１６に沿うように配列して収納するように構成されている。
【００９６】
他の構成及び作用効果については、前記実施の形態及び実施例１乃至３と同一乃至均等であるので、説明を省略する。
【実施例６】
【００９７】
図１０は、この発明の実施の形態の実施例６の可動間仕切りシャッタ装置７２を示すものである。なお、前記実施例４，５と同一乃至均等な部分については同一符号を付して説明する。
【００９８】
この実施例６では、ＬＤＫ空間７の壁部１６内に、可動間仕切りシャッタ装置７２の収納部５３が、完全に埋設されて内蔵されているものである。
【００９９】
他の構成及び作用効果については、前記実施の形態及び実施例４と同一乃至均等であるので、説明を省略する。
【実施例７】
【０１００】
図１１は、この発明の実施の形態の実施例７の可動間仕切りシャッタ装置８２を示すものである。なお、前記実施例４乃至６と同一乃至均等な部分については同一符号を付して説明する。
【０１０１】
この実施例７では、ＬＤＫ空間７の壁部１６内に、可動間仕切りシャッタ装置８２の収納部８３が、一部埋設されて内蔵されているものである。
【０１０２】
この収納部８３には、収納部８３の略全幅に渡り、開口する開口部８３ａが設けられていて、ＬＤＫ空間７側の側面が開放されている。
【０１０３】
また、この収納部８３の外側面内側８３ｂには、室内の残響時間を調整可能な吸音材８４が貼設されている。
【０１０４】
他の構成及び作用効果については、前記実施の形態及び実施例４乃至６と同一乃至均等であるので、説明を省略する。
【０１０５】
以上、図面を参照して、本発明の実施の形態を詳述してきたが、具体的な構成は、この実施の形態に限らず、本発明の要旨を逸脱しない程度の設計的変更は、本発明に含まれる。
【０１０６】
即ち、前記実施の形態では、シャッタ本体１５として、ゴムシートを、又、実施例４では、シャッタスラット部材５５ａとして、透明アクリル板材等を用いて構成しているが、特にこれに限らず、アルミ，スチール等の金属製や、木製等、所望の遮音性能を得られるものであれば、厚み等の形状、数量及び材質が特に限定されるものではない。
【０１０７】
また、シャッタ本体１５等の引き出し及び、巻き取りや折り畳み収納を電動若しくは手動の何れで行っても良い。更に、前記収納部１３等のスライドレール１１，１１に沿ったスライド移動も、電動若しくは手動の何れで行っても良い。
【０１０８】
更に、図８乃至図１１に示すように、天井部に沿うように水平に、ハンガーレール１８を設けて、前記折り畳みシャッタ本体５５を、このハンガーレール１８に沿わせて摺動させてもよい。
【図面の簡単な説明】
【０１０９】
【図１】この発明の最良の実施の形態の可動間仕切りシャッタ装置で、全体の構成を説明するユニット建物内のＬＤＫ空間の一部断面斜視図である。
【図２】実施の形態の可動間仕切りシャッタ装置で、図１中Ａ−Ａ線に沿った位置での断面図である。
【図３】実施の形態の可動間仕切りシャッタ装置が適用されるユニット建物の下階の模式的な平面図である。
【図４】最良の実施の形態の実施例１の可動間仕切りシャッタ装置で、図１中Ａ−Ａ線に相当する部分での断面図である。
【図５】最良の実施の形態の実施例２の可動間仕切りシャッタ装置で、図１中Ａ−Ａ線に相当する部分での断面図である。
【図６】最良の実施の形態の実施例３の可動間仕切りシャッタ装置で、図１中Ａ−Ａ線に相当する部分での断面図である。
【図７】最良の実施の形態の実施例４の可動間仕切りシャッタ装置で、全体の構成を説明するユニット建物内のＬＤＫ空間の一部断面斜視図である。
【図８】最良の実施の形態の実施例４の可動間仕切りシャッタ装置で、図７中Ｂ−Ｂ線に沿った位置での断面図である。
【図９】最良の実施の形態の実施例５の可動間仕切りシャッタ装置で、図７中Ｂ−Ｂ線に相当する部分での断面図である。
【図１０】最良の実施の形態の実施例６の可動間仕切りシャッタ装置で、図７中Ｂ−Ｂ線に相当する部分での断面図である。
【図１１】最良の実施の形態の実施例７の可動間仕切りシャッタ装置で、図７中Ｂ−Ｂ線に相当する部分での断面図である。
【図１２】従来例のシステム天井用間仕切りの構成を説明する縦断面図である。
【符号の説明】
【０１１０】
５          ユニット建物（建物）
６          建物ユニット
１０        天井部
１１        スライドレール（レール部）
１２，２２，３２，４２，５２，６２，７２，８２
可動間仕切りシャッタ装置
１３，５３，８３
収納部
１５        シャッタ本体
２５，５５，６５
折り畳みシャッタ本体（シャッタ本体）
【図１】
2007138408.tif 000003
【図２】
2007138408.tif 000004
【図３】
2007138408.tif 000005
【図４】
2007138408.tif 000006
【図５】
2007138408.tif 000007
【図６】
2007138408.tif 000008
【図７】
2007138408.tif 000009
【図８】
2007138408.tif 000010
【図９】
2007138408.tif 000011
【図１０】
2007138408.tif 000012
【図１１】
2007138408.tif 000013
【図１２】
2007138408.tif 000014